(57)【特許請求の範囲】
【請求項１】
装置であって：
基地局のプライマリサービングセル（Ｐセル）の第１のサブフレームにおいて、キャリア識別フィールド（ＣＩＦ）値、及び前記装置宛のデータを含むことになる物理下りリンク共有チャネル（ＰＤＳＣＨ）伝送の下りリンクのリソースを示すための指標を含む、前記基地局からの、下りリンクの制御情報（ＤＣＩ）を受信し；かつ所定のサブフレームペアリング及び前記ＣＩＦ値に基づいて、前記ＰＤＳＣＨ伝送がセカンダリサービングセル（Ｓセル）の第２のサブフレームの中であることを判断するように構成される、スケジューリングモジュール；及び
前記指標及び前記ＰＤＳＣＨ伝送が前記Ｓセルの前記第２のサブフレームの中であることの判断に基づき、前記ＰＤＳＣＨ伝送の前記下りリンクのリソースを復号化するように構成される復号化モジュール；
を備える、装置。
【請求項２】
前記所定のサブフレームペアリングは、無線フレームの半分それぞれの中の２つのサブフレームの間のペアリングであり、かつ前記ペアリングはサブフレーム０及び３のペアリングであるか、又はサブフレーム１及び４のペアリングである、
請求項１に記載の装置。
【請求項３】
前記スケジューリングモジュールは、さらに、前記ＣＩＦ値及びキャリアアグリゲーションレベルに基づき、マッピング情報にアクセスし；かつ前記マッピング情報に基づき、前記所定のサブフレームペアリングのうちの第１のサブフレームの対、前記所定のサブフレームペアリングのうちの第２のサブフレームの対、又は前記所定のサブフレームペアリングのうちの前記第１及び第２のサブフレームの対の両方、に対して適用される前記指標を判断するように構成され、
前記マッピング情報は、ＣＩＦ値及びキャリアアグリゲーションレベルの個別の組合せに対するマッピング情報を与えるマルチサブフレームクロスキャリア（ＭＳＣＣ）テーブルの中に記憶される
請求項１に記載の装置。
【請求項４】
前記ＣＩＦ値は、８つの状態を有する３ビットの値であり；前記キャリアアグリゲーションレベルは、２、３、４、又は５であり；前記Ｓセルは第１のＳセルであり；かつ前記マッピング情報は：
前記ＣＩＦ値が第１の状態であり、かつ前記ＣＡレベルが２、３、４又は５である場合、前記プライマリサービングセル；
前記ＣＩＦ値が第２の状態であり、かつ前記ＣＡレベルが２、３、４、又は５である場合、前記第１のＳセルの前記第１のサブフレームの対；
前記ＣＩＦ値が第３の状態であり、かつ前記ＣＡレベルが２、３、４、又は５である場合、前記第１のＳセルの前記第２のサブフレームの対；
前記ＣＩＦ値が第４の状態であり、かつ前記ＣＡレベルが２又は３である場合、前記第１のＳセルの前記第１及び第２のサブフレームの対；
前記ＣＩＦ値が第４の状態であり、かつ前記ＣＡレベルが４又は５である場合、第２のＳセルの前記第１のサブフレームの対；
前記ＣＩＦ値が第５の状態であり、かつ前記ＣＡレベルが３である場合、前記第２のＳセルの前記第１のサブフレームの対；
前記ＣＩＦ値が前記第５の状態であり、かつ前記ＣＡレベルが４又は５である場合、前記第２のＳセルの前記第２のサブフレームの対；
前記ＣＩＦ値が第６の状態であり、かつ前記ＣＡレベルが３である場合、前記第２のＳセルの前記第２のサブフレームの対；
前記ＣＩＦ値が前記第６の状態であり、かつ前記ＣＡレベルが４又は５である場合、第３のＳセルの前記第１のサブフレームの対；
前記ＣＩＦ値が第７の状態であり、かつ前記ＣＡレベルが３である場合、前記第２のＳセルの前記第１及び第２のサブフレームの対；
前記ＣＩＦ値が前記第７の状態であり、かつ前記ＣＡレベルが４又は５である場合、前記第３のＳセルの前記第２のサブフレームの対；及び
前記ＣＩＦ値が第８の状態であり、かつ前記ＣＡレベルが５である場合、第４のＳセルの前記第１のサブフレームの対；を識別する
請求項３に記載の装置。
【請求項５】
前記ＣＩＦ値は、８つの状態を有する３ビットの値であり；前記キャリアアグリゲーションレベルは、２、３、４、又は５であり；前記Ｓセルは第１のＳセルであり；かつ前記マッピング情報は：
前記ＣＩＦ値が第１の状態であり、かつ前記ＣＡレベルが２、３、４又は５である場合、前記プライマリサービングセル；
前記ＣＩＦ値が第２の状態であり、かつ前記ＣＡレベルが２、３、４、又は５である場合、前記第１のＳセルの前記第１のサブフレームの対；
前記ＣＩＦ値が第３の状態であり、かつ前記ＣＡレベルが２、３、４、又は５である場合、前記第１のＳセルの前記第２のサブフレームの対；
前記ＣＩＦ値が第４の状態であり、かつ前記ＣＡレベルが２、３、４、又は５である場合、前記第１のＳセルの前記第１及び第２のサブフレームの対；
前記ＣＩＦ値が第５の状態であり、かつ前記ＣＡレベルが３、４、又は５である場合、第２のＳセルの前記第１のサブフレームの対；
前記ＣＩＦ値が第６の状態であり、かつ前記ＣＡレベルが３、４、又は５である場合、前記第２のＳセルの前記第２のサブフレームの対；
前記ＣＩＦ値が第７の状態であり、かつ前記ＣＡレベルが３である場合、前記第２のＳセルの前記第１及び第２のサブフレームの対；
前記ＣＩＦ値が前記第７の状態であり、かつ前記ＣＡレベルが４又は５である場合、第３のＳセルの前記第１のサブフレームの対；
前記ＣＩＦ値が第８の状態であり、かつ前記ＣＡレベルが４である場合、前記第３のＳセルの前記第２のサブフレームの対；及び
前記ＣＩＦ値が前記第８の状態であり、かつ前記ＣＡレベルが５である場合、第４のＳセルの前記第１のサブフレームの対；を識別する
請求項３に記載の装置。
【請求項６】
前記ＣＩＦ値は、８つの状態を有する３ビットの値であり；前記キャリアアグリゲーションレベルは、２、３、４、又は５であり；前記Ｓセルは第１のＳセルであり；かつ前記マッピング情報は：
前記ＣＩＦ値が第１の状態であり、かつ前記ＣＡレベルが２、３、４又は５である場合、前記プライマリサービングセル；
前記ＣＩＦ値が第２の状態であり、かつ前記ＣＡレベルが２、３、４、又は５である場合、前記第１のＳセルの前記第１のサブフレームの対；
前記ＣＩＦ値が第３の状態であり、かつ前記ＣＡレベルが２、３、４、又は５である場合、前記第１のＳセルの前記第２のサブフレームの対；
前記ＣＩＦ値が第４の状態であり、かつ前記ＣＡレベルが２、３、４、又は５である場合、前記第１のＳセルの前記第１及び第２のサブフレームの対；
前記ＣＩＦ値が第５の状態であり、かつ前記ＣＡレベルが３、４、又は５である場合、第２のＳセルの前記第１のサブフレームの対；
前記ＣＩＦ値が第６の状態であり、かつ前記ＣＡレベルが３、４、又は５である場合、前記第２のＳセルの前記第２のサブフレームの対；
前記ＣＩＦ値が第７の状態であり、かつ前記ＣＡレベルが３である場合、前記第２のＳセルの前記第１及び第２のサブフレームの対；
前記ＣＩＦ値が前記第７の状態であり、かつ前記ＣＡレベルが４である場合、前記第２のＳセルの前記第１及び第２のサブフレームの対；
前記ＣＩＦ値が前記第７の状態であり、かつ前記ＣＡレベルが５である場合、第３のＳセルの前記第１のサブフレームの対；
前記ＣＩＦ値が第８の状態であり、かつ前記ＣＡレベルが４である場合、前記第３のＳセルの前記第１のサブフレームの対；及び
前記ＣＩＦ値が前記第８の状態であり、かつ前記ＣＡレベルが５である場合、第４のＳセルの前記第１のサブフレームの対；を識別する
請求項３に記載の装置。
【請求項７】
前記スケジューリングモジュールは、前記第１のサブフレーム及び前記第２のサブフレームの所定のサブフレームペアリングにさらに基づいて、前記ＰＤＳＣＨ伝送が前記セカンダリサービングセルの前記第２のサブフレームの中であることを判断するように構成され、
前記Ｐセル及び前記Ｓセルは、それぞれ、異なる時分割デュプレキシング（ＴＤＤ）構成を有するコンポーネントキャリアを含み、
前記装置と前記基地局との間の通信のために、複数のコンポーネントキャリアが集約され、かつ前記スケジューリングモジュールは、前記複数のコンポーネントキャリアの数にさらに基づいて、前記ＰＤＳＣＨ伝送が前記セカンダリサービングセルの前記第２のサブフレームの中であると判断するように構成され、前記プライマリサービングセルは、第１の共通キャリアを利用し、かつ前記セカンダリサービングセルは、第２の共通キャリアを利用し、かつ／又は
前記下りリンクのリソースは、物理リソースブロックである、
請求項１に記載の装置。
【請求項８】
前記スケジューリングモジュールは、前記ＣＩＦ値及びキャリアアグリゲーションレベルに基づき、マルチサブフレームクロスキャリア（ＭＳＣＣ）テーブルの中のマッピング情報にアクセスし；前記マッピング情報に基づき、前記ＰＤＳＣＨ伝送は、前記第２のサブフレームの中であると判断し；かつ前記マッピング情報に基づき、前記セカンダリサービングセルの第３のサブフレームの他のＰＤＳＣＨ伝送も、前記装置宛のデータを含むことになると判断するようにさらに構成されている、
請求項１に記載の装置。
【請求項９】
ユーザ装置を含む、
請求項１から８のいずれかに記載の装置。
【発明の詳細な説明】
【技術分野】
【０００１】
本発明の複数の実施例は、一般に、通信の分野に関連し、より詳細には、無線通信ネットワークにおける下りリンクのリソースのスケジューリングに関連する。
【背景技術】
【０００２】
第３世代パートナーシッププロジェクト（３ＧＰＰ）のロングタームエボルーション（ＬＴＥ）リリース１０（２０１１年３月）は、ＬＴＥ−Ａｄｖａｎｃｅｄ（ＬＴＥ−Ａ）とも呼ばれるが、これにおいて、ヘテロジニアスネットワーク（ＨｅｔＮｅｔ）により、高スループットの通信が提供される。ＨｅｔＮｅｔは、マクロ、ピコ、又はフェムト等の出力クラス（ｐｏｗｅｒ  ｃｌａｓｓ）の異なる複数のセル、及びオープン又はクローズド加入者グループ（ＣＳＧ）等のアクセスクラスを含んでもよい。３ＧＰＰ  ＬＴＥリリース８（２００９年９月）における、セル間干渉コーディネーション（ＩＣＩＣ）制御シグナリングの不足を補うために、クロスキャリアスケジューリング（ｃｒｏｓｓ−ｃａｒｒｉｅｒ  ｓｃｈｅｄｕｌｉｎｇ）を含むマルチキャリア操作が与えられた。これにより、第１のコンポーネントキャリアのサブフレームに適用可能な制御情報を、より信頼できると考えられる別のコンポーネントキャリアの対応するサブフレームの中において送信することを可能にしようとしていた。コンテンツの信頼性の向上及びＨｅｔＮｅｔに関する拡張されたＩＣＩＣ（ｅＩＣＩＣ）を可能とするために、単一フレームのクロスキャリアスケジューリング操作は、ＵＥ専用の下りリンク制御情報（ＤＣＩ）のキャリア識別フィールド（ＣＩＦ）の使用により容易にされる。
【発明の概要】
【発明が解決しようとする課題】
【０００３】
３ＧＰＰのＬＴＥのリリース１１において、各コンポーネントキャリアは、それ自身の時分割デュプレックス（ＴＤＤ）上りリンク−下りリンク（ＵＬ−ＤＬ）構成を有する場合がある。しかしながら、異なるＴＤＤ  ＵＬ−ＤＬ構成を有する複数のキャリアの集約は、クロスキャリアスケジューリングを複雑化することがある。
【課題を解決するための手段】
【０００４】
装置であって：
基地局のプライマリサービングセル（Ｐセル）の第１のサブフレームにおいて、キャリア識別フィールド（ＣＩＦ）値、及び前記装置宛のデータを含むことになる物理下りリンク共有チャネル（ＰＤＳＣＨ）伝送の下りリンクのリソースを示すための指標を含む、前記基地局からの、下りリンクの制御情報（ＤＣＩ）を受信し；かつ所定のサブフレームペアリング及び前記ＣＩＦ値に基づいて、前記ＰＤＳＣＨ伝送がセカンダリサービングセル（Ｓセル）の第２のサブフレームの中であることを判断するように構成される、スケジューリングモジュール；及び
前記識別子及び前記ＰＤＳＣＨ伝送が前記Ｓセルの前記第２のサブフレームの中であることの判断に基づき、前記ＰＤＳＣＨ伝送の前記下りリンクのリソースを復号化するように構成される復号化モジュール；
を備える、装置。
【０００５】
装置であって：
ユーザ装置と基地局との間の通信に関して集約される複数のコンポーネントキャリアのうちの第１のコンポーネントキャリアの第１のサブフレームの物理下りリンク制御チャネル（ＰＤＣＣＨ）の中の下りリンクの制御情報（ＤＣＩ）をスケジュールし、かつ前記複数のコンポーネントキャリアのうちの第２のコンポーネントキャリアの第２のサブフレームの物理下りリンク共有チャネル（ＰＤＳＣＨ）の中の前記ユーザ装置に対するデータをスケジュールするように構成されるスケジューリングモジュールであって、前記ＤＣＩは、前記第２のコンポーネントキャリアの前記第２のサブフレームを識別するように構成され、かつ前記第２のサブフレームは、フレーム系列の中で、前記第１のサブフレームよりも後に生じる、スケジューリングモジュール；及び
前記ＰＤＣＣＨの中の前記ＤＣＩ及び前記ＰＤＳＣＨの中の前記データを符号化するように構成される復号化モジュール；
を備える、装置。
【０００６】
複数のコンポーネントキャリアのうちの第１のコンポーネントキャリアの第１のサブフレームの中の下りリンクのリソースであって、ユーザ装置宛のデータを含む、リソース、を、前記複数のコンポーネントキャリアのうちの第２のコンポーネントキャリアの第２のサブフレームの中で受信する下りリンクの制御情報（ＤＣＩ）に基づき、識別するステップであって、前記第２のサブフレームは、フレーム系列において、前記第１のサブフレームより前に生じる、ステップ；及び
前記ユーザ装置宛のデータを受信するために前記下りリンクのリソースを復号化するステップ；
を備える方法。
【図面の簡単な説明】
【０００７】
複数の実施例は、添付の図面に関する以下の詳細な説明により、容易に理解されるであろう。説明を容易にするため、同様な参照番号は同様な構成要素を示す。複数の実施例は、例として説明されており、添付図面の図に限定するために説明されるものではない。
【図１】各種実施例に従う、無線通信ネットワークを概略的に説明する図である。
【図２】各種実施例に従う、スケジューリングシナリオを概略的に説明する図である。
【図３】各種実施例に従う、マルチサブフレームクロスキャリアスケジューリング（ＭＳＣＣ）テーブルを示す図である。
【図４】各種実施例に従う、複数のＭＳＣＣテーブルを示す図である。
【図５】各種実施例に従う、無線フレームのＭＳＣＣスケジューリングを説明する図である。
【図６】各種実施例に従う、ユーザ装置の動作を説明するフローチャートである。
【図７】各種実施例に従う、基地局の動作を説明するフローチャートである。
【図８】各種実施例に従う、システムの例を概略的に示す図である。
【発明を実施するための形態】
【０００８】
本開示の例示的な複数の実施例は、複数の無線ネットワークにおける下りリンクのリソースのスケジューリングための方法、システム、及び装置を含むが、これらには限定されない。
【０００９】
例示的な実施例の様々な側面は、それらの作用の要旨を他の当業者に伝えるために、当業者によって一般的に用いられる用語を使用して説明される。しかしながら、記載された側面のうちのいくつかに対してのみ、複数の代替の実施例を実施してもよいことが当業者には明らかであろう。説明を目的として、例示的な実施例の完全な理解を提供するために、特定の数、物質、及び構成が示されている。しかしながら、これらの特定の詳細なしで、代替の実施例を実施してもよいことが当業者にとって明らかであろう。他の例においては、例示的な実施例を不明瞭にしないために、周知の特徴は、省略または簡略化される。
【００１０】
さらに、様々な動作は、例示的な実施例の理解に最も有用な方法で、複数の別個の動作として順番に説明される。しかしながら、これらの動作が必然的に順序に依存することを意味するとして、当該説明の順序を解釈すべきではない。特に、これらの動作は、提示の順序で実行される必要はない。
【００１１】
「一実施例において」という語句が繰り返し使用される。この語句は、一般的には、同じ実施例を参照するものではないが、同じ実施例を参照してもよい。「ｃｏｍｐｒｉｓｉｎｇ」、「ｈａｖｉｎｇ」、及び「ｉｎｃｌｕｄｉｎｇ」という用語は、文脈が別途指定しない限り、同義である。語句「Ａ及び／又はＢ」は、「（Ａ）、（Ｂ）、又は（Ａ及びＢ）」を意味する。語句「Ａ／Ｂ」は、語句「Ａ及び／又はＢ」と同様に、「（Ａ）、（Ｂ）、又は（Ａ及びＢ）」を意味する。「Ａ、Ｂ及びＣの少なくとも１つ」という語句は、「（Ａ）、（Ｂ）、（Ｃ）、（Ａ及びＢ）、（Ａ及びＣ）、（Ｂ及びＣ）又は（Ａ、Ｂ及びＣ）」を意味する。語句「（Ａ）Ｂ」は、「（Ｂ）又は（Ａ及びＢ）」を意味する、すなわち、Ａはオプションである。
【００１２】
本明細書において、特定の実施例が図示および説明されるが、代替及び／又は同等な実施形態により、本開示の実施例の範囲から逸脱することなく、図示及び説明される特定の実施例が代替され得ることが当業者により理解されるであろう。この出願は、本明細書で説明される実施例のいかなる翻案又は変形をも包含することを意図している。従って、本開示の実施例は、特許請求の範囲及びその均等物によってのみ限定されることが明らかに意図されている。
【００１３】
本明細書で使用される「モジュール」という用語は、１つ以上のソフトウェア又はファームウェアプログラムを実行する特定用途向け集積回路（ＡＳＩＣ）、電子回路、（共有、専用、又はグループの）プロセッサ、及び／又は（共有、専用、又はグループの）メモリ；組合せ論理回路；及び／又は説明する機能を提供するその他の適切な構成要素；の一部のことを参照してもよく、或いはそれらを含んでもよい。
【００１４】
図１は、各種実施例に従う、無線通信ネットワーク１００を概略的に示す。無線通信ネットワーク１００（以下、「ネットワーク１００」）は、ｅｖｏｌｖｅｄ  ｕｎｉｖｅｒｓａｌ  ｍｏｂｉｌｅ  ｔｅｌｅｃｏｍｍｕｎｉｃａｔｉｏｎ  ｓｙｓｔｅｍ  （ＵＭＴＳ）の地上無線アクセスネットワーク（Ｅ−ＵＴＲＡＮ）等の、第３世代パートナーシッププロジェクト（３ＧＰＰ）ロングタームエボルーションアドバンスト（ＬＴＥ−Ａ）のアクセスネットワークであってもよい。ネットワーク１００は、ユーザ装置（ＵＥ）１０８等の携帯装置又は携帯端末と無線通信するように構成された、拡張ノード基地局（ｅＮＢ）１０４等の基地局を含んでもよい。本発明の実施形態は、ＬＴＥ−Ａネットワークを参照して説明されるが、いくつかの実施例は、別の種類の無線アクセスネットワークに対して使用されてもよい。
【００１５】
ＵＥ１０８がキャリアアグリゲーション（ＣＡ）を利用できる複数の実施例において、いくつかのコンポーネントキャリア（ＣＣ）が、ｅＮＢ  １０４とＵＥ１０８との間の通信のために集約されてもよい。初期接続設定において、ＵＥ１０８は、ＣＣ＿０と呼ばれることもあるプライマリＣＣを利用して、ｅＮＢ１０４のサービングセル（Ｐセル）に接続してもよい。この接続は、セキュリティ、モビリティ、環境設定等、各種機能を目的とするものであってもよい。その後、ＵＥ１０８は、１つ以上のセカンダリＣＣを利用するｅＮＢ１０４の１つ以上のセカンダリサービングセル（Ｓセル）と接続してもよい。これらの接続は、追加の無線リソースを提供するために用いられてもよい。
【００１６】
いくつかの実施例において、例えば、ＨｅｔＮｅｔ構成において、１つ以上の追加のｅＮＢ、例えば、ｅＮＢ１１２を用いてもよい。いくつかの実施例において、ＨｅｔＮｅｔの複数のｅＮＢは、それぞれ、異なる出力及び／又はアクセスクラスを有してもよい。例えば、一実施例において、ｅＮＢ１０４は、マクロｅＮＢ等の比較的高出力の基地局であってもよく、その一方で、ｅＮＢ１１２は、例えば、ピコｅＮＢ及び／又はフェムトｅＮＢといった、比較的低出力の基地局であってもよい。
【００１７】
ｅＮＢ１０４と同様に、ｅＮＢ１１２は、Ｐセル及び一つ以上のＳセルを有してもよい。しかしながら、ＨｅｔＮｅｔの二つの基地局のＰセルに対して、同じＣＣを用いることはできない。例えば、ｅＮＢ１０４がそのＰセルに対してＣＣ＿０を有し、かつそのＳセルに対してＣＣ＿１を有する場合、ｅＮＢ１１２は、そのＰセルに対してＣＣ＿１を有し、かつそのＳセルに対してＣＣ＿０を有してもよい。
【００１８】
ＵＥ１０８は、受信モジュール１２０、復号化モジュール１２４、スケジューリングモジュール１２８、及び送信モジュール１３２を備えてもよく、これらは、少なくとも示されているように、互いに結合されている。いくつかの実施例において、復号化モジュール１２４及び／又はスケジューリングモジュール１２８は、受信モジュール１２０に組み込まれてもよい。簡潔に、復号化モジュール１２４は、Ｐセル又はＳセルを介して受信した下りリンクの送信を復号化するために動作してもよく、その一方で、スケジューリングモジュールは、ＵＥ１０８に対してスケジュールされた下りリンク内の送信を識別するために動作してもよい。さらに、受信モジュール１２０及び送信モジュール１３２は、それぞれ、ＵＥ１０８の複数のアンテナ１３２のうちの１つ以上と結合されてもよい。
【００１９】
ＵＥ１０８は、任意の数の適切なアンテナを備えてもよい。各種実施例において、ＵＥ１０８は、少なくともＵＥ１０８が複数のｅＮＢから同時に受信する複数の空間レイヤ又はストリームと同じ数のアンテナを備えてもよいが、この点については、本開示範囲は限定されなくてもよい。また、同時の空間レイヤ又はストリームの数は、送信ランク又は単にランクと呼ばれてもよい。
【００２０】
１つ以上のアンテナ１３２は、送信アンテナ又は受信アンテナとして交互に使用されてもよい。代替的に、又は追加的に、１つ以上のアンテナ１３２は、受信専用のアンテナ又は送信専用のアンテナであってもよい。
【００２１】
ｅＮＢ１０４は、受信モジュール１３６、スケジューリングモジュール１４０、符号化モジュール１４４、及び送信モジュール１４８を備えてもよく、それらは、少なくとも示されているように、互いに結合されている。いくつかの実施例において、スケジューリングモジュール１４０及び／又は符号化モジュール１４４は、送信モジュール１４８に組み込まれてもよい。さらに、受信モジュール１３６及び送信モジュール１４８は、それぞれ、ｅＮＢ１０４の複数のアンテナ１５２の１つ以上と結合されてもよい。ｅＮＢ１０４は、任意の数の適切なアンテナを備えてもよい。各種実施例において、ｅＮＢ１０４は、少なくとも、ＵＥ１０８に対して送信される同時送信ストリームと同じ数のアンテナを備えてもよいが、この点について、本開示の範囲は限定されなくてもよい。１つ以上のアンテナ１５２は、送信アンテナ又は受信アンテナとして、交互に使用されてもよい。代替的に、又は追加的に、１つ以上のアンテナ１５２は、受信専用アンテナ又は送信専用アンテナであってもよい。
【００２２】
明示的には示されないが、ｅＮＢ  １１２は、ｅＮＢ  １０４と同様なモジュール／構成要素を備えてもよい。
【００２３】
物理下りリンク共有チャネル（ＰＤＳＣＨ）のクロスキャリアスケジューリングにより、Ｐセルの中で送信される下りリンクの制御情報（ＤＣＩ）は、当該Ｐセル又は複数のＳセルの中の１つに関する下りリンクの許可情報（ｄｏｗｎｌｉｎｋ  ｇｒａｎｔ  ｉｎｆｏｒｍａｔｉｏｎ）を提供してもよい。下りリンクの許可情報は、ＰＤＳＣＨの下りリンクのリソースの表示であってもよい。当該ＰＤＳＣＨの下りリンクのリソースは、対応するサービングセルを介してＵＥ１０８に向けられるデータを含むことになる。ＤＣＩは、キャリア表示フィールド（ＣＩＦ）を含んでもよく、その値は、当該下りリンクの許可情報が関連しているサービングセルを示す。
【００２４】
従来の方式において、クロスキャリアスケジューリングは、下りリンクの許可情報であって、ＤＣＩが送信されるサブフレームに対してのみ適用される、下りリンクの許可情報、に制限されている。例えば、サブフレーム１で送信されるＤＣＩは、どのサービングセルでもよいが、サブフレーム１に対してのみ適用されることになる。
【００２５】
各種実施例は、ＰＤＳＣＨにおけるマルチサブフレームクロスキャリア（ＭＳＣＣ）スケジューリングを規定する。これにより、Ｐセルの第１のサブフレームの中で送信されるＤＣＩを、複数のＳセルの中の１つにおける第２のサブフレームであって、当該第１のサブフレームより後のフレーム列の中で生じる、第２のサブフレーム、に適用可能とすることが許容され得る。この明細書において説明されるＭＳＣＣは、異なるＴＤＤ  ＵＬ／ＤＬ構成を有する複数のＣＣに対しても使用され得る。いくつかの実施例において、ＤＣＩ検出性能の低下を避けるために、ＤＣＩのオーバヘッドを増加させることなく、このＭＳＣＣスケジューリングに対応することができる。これは、以下に説明されるように、部分的には所定のサブフレームの組合せの提供により、行われてもよい。
【００２６】
ＭＳＣＣスケジューリングは、無線フレームの半分それぞれの中の、所定のサブフレームの複数の組合せ（ｘ、ｙ）を含んでもよい。この組合せは、第１の組合せ（０、３）及び第２の組合せ（１、４）を含んでもよい。これらの複数の特定の組合せは、組み合わされたサブフレームの間の等しい処理遅延をもたらすかもしれない。しかしながら、他の複数の実施例は、その他の複数の組合せを含んでもよい。
【００２７】
一般に、所定のサブフレームの複数の組合せは、ＤＣＩのオプションと、特にＰセルのｘサブフレームで送信され、Ｓセルのｙサブフレームの下りリンクのリソースを識別する、ＤＣＩ内のＤＬ許可情報とを提供してもよい。いくつかの実施例において、サブフレームの組合せは、複数のＣＣの特定のＴＤＤ  ＵＬ／ＤＬ構成が、ＤＬ許可情報の従来のメカニズムによる送信、すなわち、Ｐセルの同じサブフレームにおいてＳセルに関するＤＬ許可情報を送信することを妨げる場合にのみ実行されてもよい。
【００２８】
複数の実施例は、ＰセルのサブフレームｙがＤＬサブフレームであった場合、サブフレームｙに対するＤＣＩは、Ｐセルのサブフレームｙにおいて送信されることを規定する。しかしながら、ＰセルのサブフレームがＵＬサブフレームであり、これによりＤＬ許可情報の伝送が妨げられる場合、ＳセルのサブフレームｙのＤＣＩは、Ｐセルのサブフレームｘにおいて送信される。これについては、図２ａ−２ｃにおいて図示されるシナリオを参照することにより理解され得る。
【００２９】
図２ａは、Ｐセルが、ＴＤＤ構成０であって、サブフレーム０が下りリンクのサブフレーム（Ｄ）であり、サブフレーム１が特殊サブフレーム（Ｓ）であり、かつサブフレーム２−４が上りリンクのサブフレーム（Ｕ）である、ＴＤＤ構成０、を有するシナリオを図示する。当該ＴＤＤ構成は、以下の表１により規定されてもよい。
【表１】
0005852253.tif 000002
【００３０】
特殊サブフレームは、３つのフィールドを含んでもよい：ＤＣＩを含み得る、下りリンクのパイロットタイムスロット（ＤｗＰＴＳ）、ガード期間（ＧＰ）、及び上りリンクのパイロットタイムスロット（ＵｐＰＴＳ）。
【００３１】
図２ａのＳセルは、ＴＤＤ構成１であって、サブフレーム０及び４が下りリンクのサブフレームであり、サブフレーム１が特殊サブフレームであり、かつサブフレーム２及び３が上りリンクのサブフレームである、ＴＤＤ構成１、を有する。
【００３２】
いくつかの実施例において、Ｐセルのサブフレーム０は、Ｓセルのサブフレーム０における下りリンクのリソースを識別するＤＣＩを含んでもよい。Ｓセルの３番目のサブフレームは上りリンクのサブフレームであるとされており、従って、ＤＬ許可情報は不要であるため、（０、３）についてのサブフレームの組合せは必要ではないことに注意してもよい。
【００３３】
Ｐセルのサブフレーム１は、Ｓセルのサブフレーム１及び／又はＳセルのサブフレーム４における下りリンクのリソースを識別するＤＣＩを含んでもよい。Ｐセルのサブフレームｙ、即ち、サブフレーム４は上りリンクのサブフレームであるため、この場合において、サブフレームの組合せ（１、４）を実行してもよい。
【００３４】
図２ｂは、Ｐセルが、ＴＤＤ構成０であって、サブフレーム０が下りリンクのサブフレームであり、サブフレーム１が特殊サブフレームであり、かつサブフレーム２−４が上りリンクのサブフレームである、ＴＤＤ構成０、を有するシナリオを図示する。Ｓセルは、ＴＤＤ構成２であって、サブフレーム０、３、及び４が下りリンクのサブフレームであり、サブフレーム２が特殊サブフレームであり、かつサブフレーム２が上りリンクのサブフレームである、ＴＤＤ構成２、を有する。
【００３５】
Ｐセルのサブフレーム０は、Ｓセルのサブフレーム０及び／又はサブフレーム３における下りリンクのリソースを識別するＤＣＩを含んでもよい。Ｐセルのサブフレームｙ、すなわち、サブフレーム３が上りリンクのサブフレームであるため、この場合において、サブフレームの組合せ（０、３）を実行してもよい。図２ａのシナリオとは異なり、Ｓセルのサブフレーム３は下りリンクのサブフレームであり、従って、ＤＬ許可を受信してもよい。
【００３６】
Ｐセルのサブフレーム１は、Ｓセルのサブフレーム１及び／又はサブフレーム４の中の下りリンクのリソースを識別するＤＣＩを含んでもよい。Ｐセルのサブフレームｙ、すなわち、サブフレーム４は上りリンクのサブフレームであるため、この場合において、サブフレームの組合せ（１、４）を実行してもよい。
【００３７】
図２ｃは、Ｐセルが、ＴＤＤ構成１であって、サブフレーム０及び４が下りリンクのサブフレームであり、サブフレーム１が特殊サブフレームであり、かつサブフレーム２及び３が上りリンクのサブフレームである、ＴＤＤ構成１、を有するシナリオを示す。Ｓセルは、ＴＤＤ構成２であって、サブフレーム０、３、及び４が下りリンクのサブフレームであり、サブフレーム２が特殊サブフレームであり、かつサブフレーム２が上りリンクのサブフレームである、ＴＤＤ構成２、を有する。
【００３８】
Ｐセルのサブフレーム０は、Ｓセルのサブフレーム０及び／又はサブフレーム３の中の下りリンクのリソースを識別するＤＣＩを含んでもよい。Ｐセルのサブフレームｙ、すなわちサブフレーム３は、上りリンクのサブフレームであり、かつＳセルのサブフレーム３は下りリンクのサブフレームであるため、この場合において、サブフレームの組合せ（０、３）を実行してもよい。
【００３９】
Ｐセルのサブフレーム１は、サブフレーム１において下りリンクのリソースを識別するＤＣＩを含んでもよい。Ｐセルのサブフレームｙ、すなわち、サブフレーム４は、下りリンクのサブフレームであるため、この場合において、サブフレームの組合せ（１、４）を実行しなくてもよい。従って、Ｐセルのサブフレーム４は、Ｓセルのサブフレーム４に対するＤＣＩを含んでもよい。
【００４０】
いくつかの実施例に従って、ＭＳＣＣスケジューリングは、図３に示すＭＳＣＣテーブル３００の使用により容易にされてもよい。ＭＳＣＣテーブル３００は、３ビットのＣＩＦ値及びキャリアアグリゲーションレベルの複数の組合せのそれぞれに対するマッピング情報を含んでもよい。キャリアアグリゲーションレベルは、ｅＮＢ１０４とＵＥ１０８との間の通信に対して、いくつのＣＣ、又はサービングセルが設定されているかについて言及するものであってもよい。ＭＳＣＣテーブル３００内の複数の値は、例えば、ＣＣ＿０、ＣＣ＿１、ＣＣ＿２、又はＣＣ＿３などの、指定されたＣＣ、並びに０及び／又は１などの、サブフレームペアリング指標を含む。
【００４１】
ＤＣＩがＣＩＦ値「０００」を含む場合、そのＤＣＩ情報はＰセル、すなわち、ＣＣ＿０に関連してもよい。ＤＣＩがＣＩＦ値「００１」を含む場合、そのＤＣＩ情報は、Ｓセル、ＣＣ＿１、のサブフレーム対の第１のサブフレームに関連してもよい。例えば、図２（ｂ）に関して、ＤＣＩがＰセルのサブフレーム０の中で送信され、かつＣＩＦ値「００１」を含む場合、下りリンクの許可情報は、Ｓセルのサブフレーム０の中の下りリンクのリソースを識別することになる。ＤＣＩがＰセルのサブフレーム１の中で送信され、かつ同じＣＩＦ値を含む場合、下りリンクの許可情報は、Ｓセルのサブフレーム１の中の下りリンクのリソースを識別することになる。
【００４２】
ＤＣＩがＣＩＦ値「０１０」を含む場合、そのＤＣＩ情報は、Ｓセル、ＣＣ＿１、のサブフレーム対の第２のサブフレームに関連してもよい。例えば、図２（ｂ）に関して、ＤＣＩがＰセルのサブフレーム０の中で送信され、かつＣＩＦ値「０１０」を含む場合、下りリンクの許可情報は、Ｓセルのサブフレーム３の中の下りリンクのリソースを識別することになる。ＤＣＩがＰセルのサブフレーム１の中で送信され、かつ同じＣＩＦ値を含む場合、下りリンクの許可情報は、Ｓセルのサブフレーム４の中の下りリンクのリソースを識別することになる。
【００４３】
ＤＣＩがＣＩＦ値「０１０」を含み、かつＣＡレベルが２又は３である場合、そのＤＣＩ情報は、Ｓセル、ＣＣ＿１、のサブフレーム対の第１及び第２のサブフレームに関連してもよい。例えば、図２（ｂ）に関して、ＤＣＩがＰセルのサブフレーム０の中で送信され、かつＣＩＦ値「０１１」を含む場合、下りリンクの許可情報は、Ｓセルのサブフレーム０及び３の両方の中の下りリンクのリソースを識別することになる。
【００４４】
ＤＣＩがＣＩＦ値「０１１」を含み、かつＣＡレベルが４又は５である場合、そのＤＣＩ情報は、第２のＳセル、ＣＣ＿２、のサブフレーム対の第１のサブフレームに関連してもよい。残りのマッピング情報についても、同様に解釈することができる。
【００４５】
ＬＴＥのリリース１０におけるＤＣＩの既存の３ビットのＣＩＦフィールドとの互換性を保つために、ＭＳＣＣテーブル３００のＣＩＦは、３ビットの値として与えられている。３ビットの値により与えられる８つの状態は、ＣＣ／サブフレーム指標の全ての可能な組合せを含むには十分ではないかもしれないが、所望のスケジューリング操作の大部分を構成するためには十分であり得る。
【００４６】
いくつかの実施例において、ＣＩＦは、３ビットより多くのビットで表されてもよく、或いは３ビット未満のビットで表されてもよい。ＣＩＦが３ビットより多くのビットで表される場合、ＤＣＩ復号化効率と追加の複数のＣＩＦ状態により表される増加されたＭＳＣＣスケジューリングとの間のトレードオフを考慮することができる。
【００４７】
特定のテーブルに含まれるように選択された複数の値は、特定のＳセルの優先方式を反映してもよい。一般的に、テーブルは、最低のＳセルのＰＤＳＣＨをｅＮＢ１０４が最初にスケジュールする可能性が高いという仮定に基づく、より低いレベルのＳセルへの偏りを反映し得る。これは、第１のＳセルに対して、それ以降のＳセルよりも低い周波数帯域を利用するいくつかの展開シナリオのためであるかもしれない。しかしながら、複数の異なるＳセルの優先方式は、異なる複数の方法で、異なるＳセルを優先させ得る。
【００４８】
図４のテーブル４０４及び４０８は、各種のＳセルの優先方式を反映し、それは、各種実施例において用いられる各テーブルの設計に組み込むことが可能な柔軟性の一部分を説明する。
【００４９】
テーブル４０４は、Ｓセルの優先方式であって、第１のＳセル、ＣＣ＿１、が優先される、Ｓセルの優先方式、を与える。従って、可能なサブフレームペアリング指標、例えば、「０」、「１」、「０、１」のそれぞれが、各ＣＡレベルに対して与えられる。ＣＡレベルが４以上の場合、二重のサブフレームスケジューリング、すなわち、対のサブフレーム両方に対するスケジューリングは、より高いＣＣ、例えば、ＣＣ＿２、ＣＣ＿３及びＣＣ＿４に対しては想定されない。さらに、ＣＡレベルが５である場合、ＣＣ＿３及びＣＣ＿４に対しては、サブフレーム対の第２の値のスケジューリングはサポートされていない。
【００５０】
テーブル４０８は、Ｓセルの優先方式であって、ＣＡレベルが４以上の場合に、第１及び第２のＳセルが優先される、Ｓセルの優先方式、を与える。ＣＡレベルが４である場合、ＣＣ＿３に対して、サブフレーム対の第１の値のみがサポートされる。ＣＡレベルが５である場合、ＣＣ＿３及びＣＣ＿４に対して、サブフレーム対の第１の値だけがサポートされ、そしてＣＣ＿２に対しては、二重のサブフレームスケジューリングはサポートされない。
【００５１】
図５は、無線フレームのＭＳＣＣスケジューリングであって、いくつかの実施例に従って、Ｐセル及びＳセルが通信のために設定される、無線フレームのＭＳＣＣスケジューリング、を示す。無線フレームは、１０ｍｓの無線フレームであり、Ｐセルのサブフレーム０及び６並びにＳセルのサブフレーム１、３、４、５、６、及び８における、ＰＤＳＣＨの送信を伴う。
【００５２】
表５０４は、複数のＣＩＦの値及び関連する複数の指標を含む具体的なＣＩＦを図示する。図５の実施例に反映されるＭＳＣＣスケジューリングは、テーブル３００に基づくものであってもよい。
【００５３】
Ｐセルのサブフレーム０は、例えばＰＤＣＣＨ送信において、ＤＣＩ５０８及び５１２を含んでもよい。各ＤＣＩは、ＣＩＦ値及び関連する指標を含んでもよい。当該指標は、
［外１］
0005852253.tif 000003
と示され、ここで、ｃｉはキャリア指標であって、０又は１であり、そしてｓｉはサブフレーム指標である。
【００５４】
ＤＣＩ５０８は、ＣＩＦ値０００及び指標
［外２］
0005852253.tif 000004
を含んでもよい。テーブル３００を参照して、指標は、Ｐセルのサブフレーム０、すなわち、キャリア０におけるＰＤＳＣＨ送信の下りリンクのリソースであって、ＵＥ１０８宛てのデータを含むことになる、下りリンクのリソース、を識別してもよい。
【００５５】
ＤＣＩ５１２は、ＣＩＦ値０１０及び指標
［外３］
0005852253.tif 000005
を含んでもよい。指標は、Ｓセルのサブフレーム３、すなわち、キャリア１におけるＰＤＳＣＨ送信の下りリンクのリソースであって、ＵＥ１０８宛てのデータを含むことになる、下りリンクのリソース、を識別してもよい。
【００５６】
Ｐセルのサブフレーム１は、ＤＣＩ５１６を含んでもよい。ＤＣＩ５１６は、ＣＩＦ値０１１及び指標
［外４］
0005852253.tif 000006
を含んでもよい。ＤＣＩ５１６の指標は、Ｓセルのサブフレーム１及び５におけるＰＤＳＣＨ送信の下りリンクのリソースを識別してもよい。本実施例において、識別されたリソースは、両方のサブフレームの中の同じ位置にあってもよい。
【００５７】
Ｐセルのサブフレーム５は、ＤＣＩ５２０を含んでもよい。ＤＣＩ５２０は、ＣＩＦ値０１１及び指標
［外５］
0005852253.tif 000007
を含んでもよい。ＤＣＩ５２０の指標は、Ｓセルのサブフレーム５及び８におけるＰＤＳＣＨ送信の下りリンクのリソースを識別してもよい。
【００５８】
Ｐセルのサブフレーム６は、ＤＣＩ５２４及び５２８を含んでもよい。ＤＣＩ５２４は、Ｐセルのサブフレーム６におけるＰＤＳＣＨ送信の下りリンクのリソースを識別するために、ＣＩＦ値０００及び指標
［外６］
0005852253.tif 000008
を含んでもよい。ＤＣＩ５２８は、Ｓセルのサブフレーム６におけるＰＤＳＣＨ送信の下りリンクのリソースを識別するために、ＣＩＦ値００１及び指標
［外７］
0005852253.tif 000009
を含んでもよい。
【００５９】
図６は、いくつかの実施例に従う、例えば、ＵＥ１０８などの、ユーザ装置の動作６００を示すフローチャートである。
【００６０】
ブロック６０４において、動作は、下りリンクの制御情報を受信することを含んでもよい。ＤＣＩは、ＰセルのＰＤＣＣＨ内のリソースを復号化する復号モジュールであって、例えば、復号モジュール１２４などの、復号モジュール、により受信されてもよい。いくつかの実施例において、復号器は、ＤＣＩを受信するために、特定のサーチ領域内の複数のブロックに対して、ブラインド復号化を行ってもよい。ＤＣＩを受信すると、復号モジュールは、当該ＤＣＩを、例えば、スケジューリングモジュール１２８などの、スケジューリングモジュールに対して与える。
【００６１】
ブロック６０８において、動作６００は、対応するリソースを決定することを含んでもよい。いくつかの実施例において、当該決定することは、スケジューリングモジュールであって、テーブルにアクセスし、かつＤＣＩのＣＩＦ値に基づきテーブル内の値を識別する、スケジューリングモジュール、により行われてもよい。その後、スケジューリングモジュールは、テーブルからの当該値に基づき、ＰＤＳＣＨ内のリソースであって、ＵＥ宛のデータを含むことになる、リソース、を識別してもよい。この識別は、上述のように実行されてもよい。スケジューリングモジュールは、当該識別されたリソースを、復号モジュールに通知してもよい。
【００６２】
ブロック６１２において、動作６００は、データを受信することを含んでもよい。当該データの受信は、復号モジュールであって、ブロック６０８においてスケジューリングモジュールにより識別された、ＰＤＳＣＨ送信のリソースを復号する、復号モジュール、により実行されてもよい。
【００６３】
図７は、いくつかの実施例に従う、例えば、ｅＮＢ  １０４などの、基地局の動作７００を示すフローチャートである。
【００６４】
ブロック７０４において、動作７００は、ＤＣＩ及びデータをスケジューリングすることを含んでもよい。スケジューリングは、例えば、スケジューリングモジュール１４０などの、スケジューリングモジュールであって、Ｐセルの第１のサブフレームのＰＤＣＣＨの中のＤＣＩ及びＳセルの第２のサブフレームのＰＤＳＣＨへのデータをスケジュールする、スケジューリングモジュール、により行われてもよい。ＤＣＩは、Ｓセルの第２のサブフレームのＰＤＳＣＨの中のデータを伝送する下りリンクのリソースを識別してもよい。
【００６５】
ブロック７０８において、動作７００は、ＤＣＩ及びデータを符号化することを含んでもよい。ＤＣＩ及びデータは、例えば、符号化モジュール１４４などの、符号化モジュールであって、Ｐセルの第１のサブフレームのＰＤＣＣＨの中のＤＣＩ及びＳセルの第２のサブフレームのＰＤＳＣＨの中のデータを符号化する、符号化モジュール、により符号化されてもよい。ＤＣＩは、３ビットのＣＩＦ値として符号化されてもよい。
【００６６】
ブロック７１２において、動作７００は、当該ＤＣＩ及びデータを送信することを含んでもよい。当該ＤＣＩ及びデータは、例えば、送信モジュール１４８などの、送信モジュールにより送信されてもよい。
【００６７】
本明細書に記載されたモジュールは、要求に応じて構成するために、適切な任意のハードウェア及び／又はソフトウェアを用いたシステムの中で実装してもよい。図８は、一実施例に関して、例示的なシステム８００を示している。例示的なシステム８００は、１つ又は複数のプロセッサ８０３、１つ又は複数のプロセッサ８０３の少なくとも１つと結合されたシステム制御論理部８０８、システム制御論理部８０８と結合されたシステムメモリ８１２、システム制御論理部８０８と結合された不揮発性メモリ（ＮＶＭ）／記憶部８１６、及びシステム制御論理部８０８と結合されたネットワークインターフェース８２０を備える。
【００６８】
１つ又は複数のプロセッサ８０４は、１つ以上のシングルコア又はマルチコアプロセッサを含んでもよい。１つ又は複数のプロセッサ８０４は、汎用プロセッサ及び専用プロセッサ（例えば、グラフィックプロセッサ、アプリケーションプロセッサ、ベースバンドプロセッサ等）の任意の組合せを含んでもよい。
【００６９】
１つ又は複数のプロセッサ８０４の少なくとも１つ及び／又はシステム制御論理部８０８と通信する任意の適切な装置又は構成要素に対して、任意の適切なインターフェースを提供するために、一実施形態のシステム制御論理部８０８は、任意の適切な複数のインターフェースコントローラを含んでもよい。
【００７０】
一実施例のシステム制御論理部８０８は、システムメモリ８１２に対してインターフェースを与えるために、１つ以上のメモリコントローラを含んでもよい。システムメモリ８１２は、例えば、システム８００に対する、データ及び／又は命令をロード及び記憶するために用いられてもよい。一実施例のシステムメモリ８１２は、例えば、適切なダイナミックランダムアクセスメモリ（ＤＲＡＭ）などの、任意の適切な揮発性メモリを含んでもよい。
【００７１】
ＮＶＭ／記憶部８１６は、例えば、データ及び／又は命令を記憶するために用いられる、１つ以上の有形の、非一時的なコンピュータ可読媒体を含んでもよい。ＮＶＭ／記憶部８１６は、例えば、フラッシュメモリなどの、任意の適切な不揮発性メモリ、及び／又は、例えば、１つ以上のハードディスクドライブ（ＨＤＤ）、１つ以上のコンパクトディスク（ＣＤ）ドライブ、及び／又は１つ以上のデジタル多用途ディスク（ＤＶＤ）ドライブなどの、任意の適切な１つ又は複数の不揮発性記憶装置を含んでもよい。
【００７２】
ＮＶＭ／記憶部８１６は、システム８００がインストールされている装置の物理的な一部である記憶リソース又は必ずしもその装置の一部ではない、当該装置により利用可能な記憶リソースを含んでもよい。例えば、ＮＶＭ／記憶部８１６は、ネットワークインターフェース８２０を介して、ネットワークにより利用可能であってもよい。
【００７３】
システムメモリ８１２及びＮＶＭ／記憶部８１６は、それぞれ、具体的には、ロジック８２４の一時的なコピー及び永続的なコピーを含んでもよい。ロジック８２４は、複数の命令であって、１つ又は複数のプロセッサ８０４のうちの少なくとも１つにより実行された場合、本明細書に記載された対応する複数の動作を実行するための、１つ以上のモジュールを実行するシステム８００をもたらす、複数の命令、を含んでもよい。いくつかの実施例において、ロジック、又はそれについてのハードウェア、ファームウェア、及び／又はソフトウェア構成要素は、追加的に／代替的に、システム制御論理部８０８、ネットワークインターフェース８２０、及び／又は１つ又は複数のプロセッサ８０４の中に位置してもよい。
【００７４】
また、システムメモリ８１２及びＮＶＭ／記憶部８１６は、実行された複数のモジュールにより処理され得るデータ又はそれに関連して用いることのできるデータを含んでもよい。例えば、１つ以上のＭＳＣＣテーブルは、システムメモリ８１２及び／又はＮＶＭ／記憶部８１６の中に記憶されてもよく、かつ本明細書に記載されたＭＳＣＣスケジューリング動作を実行する複数のモジュールにより利用可能であってもよい。
【００７５】
ネットワークインターフェース８２０は、１つ以上のネットワークにより及び／又は任意の他の適切な装置と通信するためのシステム８００に対する無線インターフェースを提供するための、送受信部８２２を有してもよい。送受信部８２２は、受信モジュール１２０及び／又は送信モジュール１３２を実行してもよい。各種実施例において、送受信部８２２は、システム８００の他の複数の構成要素と一体化されてもよい。例えば、送受信部８２２は、１つ又は複数のプロセッサ８０４のプロセッサ、システムメモリ８１２のメモリ、及びＮＶＭ／記憶部８１６のＮＶＭ／記憶部を含んでもよい。ネットワークインターフェース８２０は、任意の適切なハードウェア及び／又はファームウェアを含んでもよい。ネットワークインターフェース８２０は、マルチ入力、マルチ出力（ｍｕｌｔｉｐｌｅ  ｉｎｐｕｔ、  ｍｕｌｔｉｐｌｅ  ｏｕｔｐｕｔ）無線インターフェースを与える複数のアンテナを含んでもよい。一実施例のネットワークインターフェース８２０は、例えば、ネットワークアダプタ、無線ネットワークアダプタ、電話モデム、及び／又はワイヤレスモデムを含んでもよい。
【００７６】
一実施例において、１つ又は複数のプロセッサ８０４のうちの少なくとも１つは、システム制御論理部８０８の１つ以上のコントローラのためのロジックと共にパッケージ化されてもよい。一実施例において、１つ又は複数のプロセッサ８０４のうちの少なくとも１つは、システム・イン・パッケージ（ＳｉＰ）を形成するために、システム制御論理部８０８の１つ以上のコントローラのためのロジックと共にパッケージ化されてもよい。一実施例において、１つ又は複数のプロセッサ８０４のうちの少なくとも１つは、システム制御論理部８０８の１つ以上のコントローラのためのロジックと共に、同じダイ上に集積されてもよい。一実施例において、１つ又は複数のプロセッサ８０４のうちの少なくとも１つは、システム・オン・チップ（ＳｏＣ）を形成するために、システム制御論理部８０８の１つ以上のコントローラのためのロジックと共に、同じダイ上に集積されてもよい。
【００７７】
システム８００は、さらに、入力／出力（Ｉ／Ｏ）デバイス８３２を含んでもよい。Ｉ／Ｏデバイス８３２は、システム８００とのユーザの対話を可能とするために設計された複数のユーザインターフェース、システム８００との周辺コンポーネントの対話を可能とするために設計された複数の周辺コンポーネントインターフェース、及び／又はシステム８００に関連する環境条件及び／又は位置を決定するために設計された複数のセンサを含んでもよい。
【００７８】
各種実施例において、複数のユーザインターフェースは、これには限定されないが、ディスプレイ（例えば、液晶ディスプレイ、タッチスクリーンディスプレイ等）、スピーカ、マイクロホン、１つ以上のカメラ（例えば、スチルカメラ及び／又はビデオカメラ）、フラッシュライト（例えば、発光ダイオードフラッシュ）、及びキーボードを含み得る。
【００７９】
各種実施例において、複数の周辺コンポーネントインターフェースは、これには限定されないが、不揮発性メモリポート、オーディオジャック、及び電源インターフェースを含んでもよい。
【００８０】
各種実施例において、複数のセンサは、これには限定されないが、ジャイロセンサ、加速度計、近接センサ、環境光センサ、及び測位部を含んでもよい。また、測位部は、例えば、全地球測位システム（ＧＰＳ）衛星などの、測位ネットワークの構成要素と通信するためのネットワークインターフェース８２０の一部であってもよく、或いはそれとやりとりしてもよい。
【００８１】
各種実施例において、システム８００は、これには限定されないが、ラップトップコンピュータ装置、タブレットコンピュータ装置、ノートブック、ウルトラブック、スマートフォン等といったモバイルコンピューティングデバイスであってもよい。各種実施例において、システム８００は、より多くの又はより少ない構成要素を有してもよく、及び／又は異なる複数のアーキテクチャを有してもよい。
【００８２】
各種実施例において、例えば、ＵＥなどの、スケジューリングモジュールを含む装置が説明される。当該スケジューリングモジュールは：基地局から、基地局のＰセルの第１のサブフレームの中のＤＣＩであって、ＣＩＦ値及び当該装置宛のデータを含むことになるＰＤＳＣＨ送信の下りリンクのリソースを示すための指標を含む、ＤＣＩ、を受信；及び所定のサブフレームのペアリング及びＣＩＦ値に基づいて、ＰＤＳＣＨ送信がＳセルの第２のサブフレームの中であること決定；するように構成される。装置は、さらに、復号モジュールであって、指標及びＰＤＳＣＨ送信がＳセルの第２のサブフレームの中であるという前記決定に基づき、ＰＤＳＣＨ送信の下りリンクのリソースを復号化するように構成される、復号モジュール、を含んでもよい。当該下りリンクのリソースは、いくつかの実施例における、物理リソースブロックであってもよい。
【００８３】
いくつかの実施例において、所定のサブフレームのペアリングは、無線フレームの半分それぞれの中の２つのサブフレームの間のペアリングであってもよい。例えば、当該ペアリングは、サブフレーム０及び３のペアリング又はサブフレーム１及び４のペアリングであってもよい。
【００８４】
いくつかの実施形態では、スケジューリングモジュールは、さらに、ＣＩＦ値及びキャリアアグリゲーションレベルに基づき、マッピング情報にアクセス；及び当該マッピング情報に基づき、所定のサブフレームのペアリングのうちの第１のサブフレーム対、所定のサブフレームのペアリングのうちの第２のサブフレーム対、又は所定のサブフレームのペアリングのうちの第１及び第２のサブフレーム対の両方、に対して適用される指標を決定；するように構成されている。マッピング情報は、ＣＩＦ値及びキャリアアグリゲーションレベルの複数の組合せそれぞれのマッピング情報を与えるＭＳＣＣテーブルの中に記憶されてもよい。
【００８５】
いくつかの実施例において、ＣＩＦ値は、８つの状態を有する３ビットの値であってもよい；キャリアアグリゲーションレベルは、２、３、４、又は５であってもよい；そして、マッピング情報は、ＣＩＦ値が第１の状態であり、かつＣＡレベルが２、３、４又は５である場合、Ｐセル；ＣＩＦ値が第２の状態であり、かつＣＡレベルが２、３、４、又は５である場合、第１のＳセルの第１のサブフレームの対；ＣＩＦ値が第３の状態であり、かつＣＡレベルが２、３、４、又は５である場合、第１のＳセルの第２のサブフレームの対；ＣＩＦ値が第４の状態であり、かつＣＡレベルが２又は３である場合、第１のＳセルの第１及び第２のサブフレームの対；ＣＩＦ値が第４の状態であり、かつＣＡレベルが４又は５である場合、第２のＳセルの第１のサブフレームの対；ＣＩＦ値が第５の状態であり、かつＣＡレベルが３である場合、第２のＳセルの第１のサブフレームの対；ＣＩＦ値が第５の状態であり、かつＣＡレベルが４又は５である場合、第２のＳセルの第２のサブフレームの対；ＣＩＦ値が第６の状態であり、かつＣＡレベルが３である場合、第２のＳセルの第２のサブフレームの対；ＣＩＦ値が第６の状態であり、かつＣＡレベルが４又は５である場合、第３のＳセルの第１のサブフレームの対；ＣＩＦ値が第７の状態であり、かつＣＡレベルが３である場合、第２のＳセルの第１及び第２のサブフレームの対；ＣＩＦ値が第７の状態であり、かつＣＡレベルが４又は５である場合、第３のＳセルの第２のサブフレームの対；及びＣＩＦ値が第８の状態であり、かつＣＡレベルが５である場合、第４のＳセルの第１のサブフレームの対；を識別してもよい。
【００８６】
いくつかの実施例において、ＣＩＦ値は、８つの状態を有する３ビットの値であってもよい；キャリアアグリゲーションレベルは、２、３、４、又は５であってもよい；そして、マッピング情報は：ＣＩＦ値が第１の状態であり、かつＣＡレベルが２、３、４又は５である場合、プライマリサービングセル；ＣＩＦ値が第２の状態であり、かつＣＡレベルが２、３、４、又は５である場合、第１のＳセルの第１のサブフレームの対；ＣＩＦ値が第３の状態であり、かつＣＡレベルが２、３、４、又は５である場合、第１のＳセルの第２のサブフレームの対；ＣＩＦ値が第４の状態であり、かつＣＡレベルが２、３、４、又は５である場合、第１のＳセルの第１及び第２のサブフレームの対；ＣＩＦ値が第５の状態であり、かつＣＡレベルが３、４、又は５である場合、第２のＳセルの第１のサブフレームの対；ＣＩＦ値が第６の状態であり、かつＣＡレベルが３、４、又は５である場合、第２のＳセルの第２のサブフレームの対；ＣＩＦ値が第７の状態であり、かつＣＡレベルが３である場合、第２のＳセルの第１及び第２のサブフレームの対；ＣＩＦ値が第７の状態であり、かつＣＡレベルが４又は５である場合、第３のＳセルの第１のサブフレームの対；ＣＩＦ値が第８の状態であり、かつＣＡレベルが４である場合、第３のＳセルの第２のサブフレームの対；及びＣＩＦ値が第８の状態であり、かつＣＡレベルが５である場合、第４のＳセルの第１のサブフレームの対；を識別してもよい。
【００８７】
いくつかの実施例において、ＣＩＦ値は、８つの状態を有する３ビットの値であってもよい；キャリアアグリゲーションレベルは、２、３、４、又は５であってもよい；Ｓセルは第１のＳセルであってもよい；そして、マッピング情報は：ＣＩＦ値が第１の状態であり、かつＣＡレベルが２、３、４又は５である場合、プライマリサービングセル；ＣＩＦ値が第２の状態であり、かつＣＡレベルが２、３、４、又は５である場合、第１のＳセルの第１のサブフレームの対；ＣＩＦ値が第３の状態であり、かつＣＡレベルが２、３、４、又は５である場合、第１のＳセルの第２のサブフレームの対；ＣＩＦ値が第４の状態であり、かつＣＡレベルが２、３、４、又は５である場合、第１のＳセルの第１及び第２のサブフレームの対；ＣＩＦ値が第５の状態であり、かつＣＡレベルが３、４、又は５である場合、第２のＳセルの第１のサブフレームの対；ＣＩＦ値が第６の状態であり、かつＣＡレベルが３、４、又は５である場合、第２のＳセルの第２のサブフレームの対；ＣＩＦ値が第７の状態であり、かつＣＡレベルが３である場合、第２のＳセルの第１及び第２のサブフレームの対；ＣＩＦ値が第７の状態であり、かつＣＡレベルが４である場合、第２のＳセルの第１及び第２のサブフレームの対；ＣＩＦ値が第７の状態であり、かつＣＡレベルが５である場合、第３のＳセルの第１のサブフレームの対；ＣＩＦ値が第８の状態であり、かつＣＡレベルが４である場合、第３のＳセルの第１のサブフレームの対；及びＣＩＦ値が第８の状態であり、かつＣＡレベルが５である場合、第４のＳセルの第１のサブフレームの対；を識別してもよい。
【００８８】
いくつかの実施例において、スケジューリングモジュールは、第１のサブフレーム及び第２のサブフレームの所定のサブフレームペアリングにさらに基づいて、セカンダリサービングセルの第２のサブフレームの中のＰＤＳＣＨ送信を決定するように構成されてもよい。
【００８９】
いくつかの実施例において、Ｐセル及びＳセルは、それぞれ、異なるＴＤＤ構成を有するコンポーネントキャリアを有してもよい。
【００９０】
いくつかの実施例において、装置と基地局との間の通信のために、複数のコンポーネントキャリアが集約され、そしてスケジューリングモジュールは、さらに、複数のコンポーネントキャリアの数にさらに基づいて、ＰＤＳＣＨ送信は、セカンダリサービングセルの第２のサブフレームの中にあることを決定するように構成される。
【００９１】
いくつかの実施例において、Ｐセルは第１の共通キャリアを利用し、かつＳセルは第２の共通キャリアを利用する。
【００９２】
いくつかの実施例において、スケジューリングモジュールは、さらに、ＣＩＦ値及びキャリアアグリゲーションレベルに基づいて、ＭＳＣＣテーブルの中のマッピング情報にアクセスし；当該マッピング情報に基づいて、ＰＤＳＣＨ送信が第２のサブフレームの中にあることを決定し；そして、当該マッピング情報にもとづいて、セカンダリサービングセルの第３のサブフレームの別のＰＤＳＣＨ送信が装置宛のデータも含むことになることを決定するように構成される。
【００９３】
別の複数の実施例において、例えば、ｅＮＢといった、装置が記述され、当該装置は、スケジューリングモジュールであって：ユーザ装置と基地局との間の通信のために集約された複数のコンポーネントキャリアのうちの第１のコンポーネントキャリアの第１のサブフレームのＰＤＣＣＨの中のＤＣＩをスケジュールし、かつ複数のコンポーネントキャリアのうちの第２のコンポーネントキャリアの第２のサブフレームのＰＤＳＣＨの中のユーザ装置のためのデータをスケジュールするように構成され、当該ＤＣＩは、第２のコンポーネントキャリアの第２のサブフレームを識別するように構成され、かつ第２のサブフレームは、フレーム系列の中で、第１のサブフレームの後に生じる、スケジューリングモジュール；及びＰＤＣＣＨの中のＤＣＩ及びＰＤＳＣＨの中のデータを符号化するように構成された符号化モジュールを備える。
【００９４】
送信モジュールは、ＰＤＣＣＨの中のＤＣＩ及びＰＤＳＣＨの中のデータを送信するように構成されてもよい。
【００９５】
いくつかの実施例において、符号化モジュールは、第２のサブフレーム及び第２のコンポーネントキャリアを識別するための、例えば３ビットの、ＣＩＦ値を含めるために、ＤＣＩを符号化するように構成されてもよい。
【００９６】
いくつかの実施例において、方法が説明され、当該方法は、複数のコンポーネントキャリアのうちの第２のコンポーネントキャリアの第２のサブフレームの中で受信したＤＣＩに基づき、複数のコンポーネントキャリアのうちの第１のコンポーネントキャリアの第１のサブフレームの中の下りリンクのリソースであって、ユーザ装置宛のデータを含む、リソース、を識別するステップであって、第２のサブフレームは、フレーム系列の中で、第１のサブフレームより前に生じる、ステップ；及びユーザ装置宛のデータを受信するために下りリンクのリソースを復号化するステップ；を含む。
【００９７】
いくつかの実施例において、方法は、マッピング情報を取得するために、ＤＣＩの中のＣＩＦ値及びキャリアアグリゲーションレベルに基づき、ＭＳＣＣテーブルにアクセスするステップ；及び当該マッピング情報に基づき、下りリンクのリソースを識別するステップ；を含んでもよい。
【００９８】
いくつかの実施例において、１つ以上のコンピュータ可読媒体は、１つ以上のプロセッサにより実行された場合に、装置に、本明細書に記載の各種方法を実行させる複数の命令を有する。
【００９９】
説明を目的として、特定の複数の実施例が図示され記載されているが、同じ目的を達成することを意図された多種多様な代替及び／又は同等の複数の実施例又は複数の実装が、本開示の範囲から逸脱することなく、図示及び説明された複数の実施例の代わりに用いられてもよい。本出願は、本明細書において考察された複数の実施例のいかなる翻案又は変更も包含することを意図している。従って、本明細書において記載された複数の実施例は、特許請求の範囲及びそれに均等なものによってのみ限定されることが明らかに意図されている。
【０１００】
［関連出願の相互参照］
本出願は、「ＡＤＶＡＮＣＥＤ  ＷＩＲＥＬＥＳＳ  ＣＯＭＭＵＮＩＣＡＴＩＯＮ  ＳＹＳＴＥＭＳ  ＡＮＤ  ＴＥＣＨＮＩＱＵＥＳ」と題する、２０１１年１１月４日に出願された米国仮特許出願第６１／５５６、１０９の優先権を主張し、参照することにより、その全内容をここに援用する。
【図１】
0005852253.tif 000010
【図２】
0005852253.tif 000011
【図３】
0005852253.tif 000012
【図４】
0005852253.tif 000013
【図５】
0005852253.tif 000014
【図６】
0005852253.tif 000015
【図７】
0005852253.tif 000016
【図８】
0005852253.tif 000017